(57)【特許請求の範囲】
【請求項１】
光記録媒体上に光を走査させながら照射し、光記録層の光学的性質を変化させて情報を記録する光記録装置において、少なくとも、光記録媒体からその製造方法が逆積層法であるか２Ｐ法であるかに関する情報を読み出す機能を果たす部、読み出した製造方法に関する情報を、既に記憶されている製造方法の情報と比較参照する機能を果たす部、比較参照により特定した製造方法に対応するサーボ特性及び／又は記録光発光波形の設定機能を果たす部を備え、予め製造方法が記録してある光記録媒体への記録に際し、その製造方法に対応して記録方法を変更できるように設定されていることを特徴とする光記録装置。
【請求項２】
製造方法に対応して変更する記録方法が、記録光の発光波形であることを特徴とする請求項１に記載の光記録装置。
【請求項３】
製造方法に対応して変更する記録方法が、記録時のサーボ特性であることを特徴とする請求項１又は２記載の光記録装置。
【請求項４】
記録開始に先立ち、光記録媒体のメーカー情報及び／又はバージョン情報を読み込み、該メーカー情報及び／又は該バージョン情報に対応する記録方法が光記録媒体中に記録されている場合は、該対応する記録方法を用いて記録するように設定されていることを特徴とする請求項１〜３の何れかに記載の光記録装置。
【発明の詳細な説明】
【技術分野】
【０００１】
本発明は、光記録媒体、特に記録可能なコンパクトディスク（ＣＤ−Ｒ／ＲＷ）及びＤＶＤ−Ｒ／ＲＷ、ＤＶＤ＋Ｒ／＋ＲＷなどの記録に用いられる光記録装置に関するものである。
【背景技術】
【０００２】
例えば従来の複数の記録層を有する多層光記録媒体においては、製造方法によりサーボ特性や記録方法が異なるが、一般に、該製造方法に関する情報が光記録媒体に記録されていないため最適な記録ができない。そのため記録品質が劣化し、記録及び再生が出来ない場合がある。
【発明の開示】
【発明が解決しようとする課題】
【０００３】
本発明は、上記従来技術の問題点を解決し、製造方法が異なる光記録媒体でも、良好な記録品質と安定した記録動作で記録することが可能な光記録装置の提供を目的とする。
【課題を解決するための手段】
【０００４】
本発明者は鋭意研究を重ねた結果、上記課題を克服する光記録装置を見出した。
即ち、上記課題は、次の１）〜４）の発明（以下、本発明１〜４という）によって解決される。
１）  光記録媒体上に光を走査させながら照射し、光記録層の光学的性質を変化させて情報を記録する光記録装置において、少なくとも、光記録媒体からその製造方法が逆積層法であるか２Ｐ法であるかに関する情報を読み出す機能を果たす部、読み出した製造方法に関する情報を、既に記憶されている製造方法の情報と比較参照する機能を果たす部、比較参照により特定した製造方法に対応するサーボ特性及び／又は記録光発光波形の設定機能を果たす部を備え、予め製造方法が記録してある光記録媒体への記録に際し、その製造方法に対応して記録方法を変更できるように設定されていることを特徴とする光記録装置。
２）  製造方法に対応して変更する記録方法が、記録光の発光波形であることを特徴とする１）に記載の光記録装置。
３）  製造方法に対応して変更する記録方法が、記録時のサーボ特性であることを特徴とする１）又は２）記載の光記録装置。
４）  記録開始に先立ち、光記録媒体のメーカー情報及び／又はバージョン情報を読み込み、該メーカー情報及び／又は該バージョン情報に対応する記録方法が光記録媒体中に記録されている場合は、該対応する記録方法を用いて記録するように設定されていることを特徴とする１）〜３）の何れかに記載の光記録装置。
【０００５】
以下、上記本発明について詳しく説明する。
まず、光記録媒体と光記録装置の構成について、概略を説明する。
ＤＶＤ−ＲＡＭ・ＷＯ、ＤＶＤ−Ｒ、ＤＶＤ＋Ｒ、及びＤＶＤ−ＲＡＭ、ＤＶＤ−ＲＷ、ＤＶＤ＋ＲＷ媒体は、書き込みが可能な（記録可能な）ＤＶＤ（Ｄｉｇｉｔａｌ  Ｖｅｒｓａｔｉｌｅ  Ｄｉｓｃ）である。
前者のＤＶＤ−ＲＡＭ・ＷＯ、ＤＶＤ−Ｒ、ＤＶＤ＋Ｒは、１回だけ書き込みが可能なＤＶＤである（ＤＶＤ  Ｗｒｉｔｅ  Ｏｎｃｅとも言われている）。
また、後者のＤＶＤ−ＲＡＭ、ＤＶＤ−ＲＷ、ＤＶＤ＋ＲＷは、複数回の書き込みが可能なＤＶＤである。
これらのＤＶＤ＋ＲやＤＶＤ＋ＲＷ媒体等の光記録媒体は、図１のような光記録装置によって情報の記録再生が行われる。
【０００６】
図１は、光記録装置の要部構成の一例を示す機能ブロック図であり、１は光記録媒体、２はスピンドルモータ、３は光ピックアップ、４はモータドライバ、５はリードアンプ、６はサーボ手段、７はＤＶＤデコーダ、８はＡＤＩＰ（ＡＤｒｅｓｓ  Ｉｎ  Ｐｒｅ−ｇｒｏｏｖｅ）デコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、ＬＢはレーザ光、Ａｕｄｉｏはオーディオ出力信号を示す。
この図１において、矢印はデータが主に流れる方向を示しており、また、図を簡略化するため、図１の各ブロックを制御するＣＰＵ１８には、太線のみを付けて各ブロックとの接続を省略している。ＲＯＭ１７には、ＣＰＵ１８において解読可能なコードで記述された制御プログラムが格納されている。なお、光記録媒体の記録装置の電源がオン状態になると、前記プログラムはメインメモリ（図示せず）にロードされ、前記ＣＰＵ１８は、そのプログラムに従って上記各部の動作を制御すると共に、制御に必要なデータ等を一時的にＲＡＭ１９に保存する。
【０００７】
光記録装置の構成と動作は次のとおりである。
即ち、光記録媒体１は、スピンドルモータ２によって回転駆動される。このスピンドルモータ２は、モータドライバ４とサーボ手段６により、線速度又は角速度が一定になるように制御される。この線速度又は角速度は、階段的に変更することが可能である。
光ピックアップ３は、図示されない半導体レーザ、光学系、フォーカスアクチュエータ、トラックアクチュエータ、受光素子及びポジションセンサを内蔵しており、レーザ光ＬＢを光記録媒体１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段６により、レーザ光ＬＢのスポットが光記録媒体１上の目的の場所に位置するように制御される。
【０００８】
そして、リード時には、光ピックアップ３によって得られた再生信号が、リードアンプ５で増幅されて２値化される。リードアンプ内では主に最長信号振幅を規格化する過程と最記録マーク信号を増幅する波形等価機能を経て２値化される。入力された２値化データは、このＤＶＤデコーダ７において、８／１６復調される。なお、記録データは、８ビットずつ纏められて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【０００９】
復調されたデータは、デインターリーブとエラー訂正の処理が行われる。その後、このデータは、ＤＶＤ−ＲＯＭデコーダ１４へ入力され、データの信頼性を高めるために、更に、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００１０】
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め光記録媒体１上にトラックの蛇行により刻まれているウォブル信号によって求められる。なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
ＤＶＤ＋ＲＷ／＋Ｒ媒体におけるウォブル信号には、ＡＤＩＰと呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光記録媒体１上の正確な位置へのデータの書き込みを可能にしている。
【００１１】
バッファＲＡＭ１２のデータは、ＤＶＤ−ＲＯＭエンコーダ１１やＤＶＤエンコーダ１０において、エラー訂正コードの付加やインターリーブが行われ、記録用の信号として８／１６変換される。記録用に変調された信号は、パルスジェネレータ２０において光記録媒体に適した記録光波形に変換され、レーザコントローラ９、光ピックアップ３を介して、光記録媒体１に記録される。
光ピックアップの効率の補正には、記録光の回折光を直接に受光素子により測定し、そのパワー変動によりレーザーコントローラ９の記録パワーを変更することが可能である。光記録媒体に対する記録パワーの補正方法として、記録後発光時の反射光の変動から、光記録媒体に対する記録パワーの効率を測定し、レーザーコントローラ９の記録パワーを補正することが可能である。アドレスの制御方法は、ランドプリピットやプリピットからアドレス情報を得る構成であっても良い。
【００１２】
図２は、一般的な情報処理装置の概略図である。
この情報処理装置は、制御装置、インターフェース、光ディスク装置、記録装置（ＨＤＤ）、入力装置及び表示装置などを備えている。制御装置は、マイクロコンピュータ、メインメモリ（何れも図示せず）などを含んで構成され、ホストの全体を制御する。
インターフェースは、光ディスク装置との双方向の通信インターフェースであり、ＡＴＡＰＩ及びＳＣＳＩ等の標準インターフェースに準拠している。光ディスク装置として、前記図１の光記録装置を使用した場合には、図１の光記録装置のインターフェース１５と接続する。なお、各インターフェース間の接続形態は、通信ケーブル（例えばＳＣＳＩケーブル）などの通信線を用いたケーブル接続だけでなく、赤外線などを利用したワイヤレス接続であっても良い。
【００１３】
記録装置（ＨＤＤ）には、制御装置のマイクロコンピュータで解読可能なコードで記述されたプログラムが格納されている。なお、情報処理装置の駆動電源がオン状態になると、上記プログラムは制御装置のメインメモリにロードされる。
表示装置は、例えばＣＲＴ、ＬＣＤ（液晶ディスプレイ）、ＰＤＰ（プラズマディスプレイパネル）等の表示部（図示せず）を備え、制御装置からの各種情報を表示する。
入力装置は、例えばキーボード、マウス、ポインティングデバイス等のうち少なくとも１つの入力媒体（図示省略）を備え、ユーザから入力された各種情報を制御装置に通知する。なお、入力媒体からの情報はワイヤレス方式で入力されても良い。また、表示装置と入力装置とが一体化したものとして、例えばタッチパネル付きＣＲＴなどがある。
また、情報処理装置はオペレーティングシステム（ＯＳ）を搭載している。そして情報処理装置を構成する全てのデバイスはＯＳによって管理されているものとする。
【００１４】
本発明の光記録装置は、少なくとも、光記録媒体からその製造方法が逆積層法であるか２Ｐ法であるかに関する情報を読み出す機能を果たす部、読み出した製造方法に関する情報を、既に記憶されている製造方法の情報と比較参照する機能を果たす部、比較参照により特定した製造方法に対応するサーボ特性及び／又は記録光発光波形の設定機能を果たす部を有する。そして、予め製造方法が記録してある光記録媒体への記録に際し、その製造方法に対応して記録方法を変更できるように設定する。
例えば図１の光記録装置を用いた場合には、測定された条件に合わせて記録波形を算出する機能をＣＰＵ１８に有し、記録波形を変更して記録可能な機能をパルスジェネレータ２０に有するようにすればよい。記録波形変形の条件としては、レーザーコントローラ９の記録パワーの設定値が好適である。
また、本発明４のように、光記録媒体に記録されているメーカー情報及び／又はバージョン情報などの中に、該光記録媒体に記録を行う際の最適化された設定がある場合には、その設定を用い、最適条件が未知の光記録媒体の場合だけに、読み出した製造方法の情報を用いて、各光記録媒体に好適な記録方法を設定することが好ましい。
【００１５】
また、本発明の光記録装置は、一般的なＣＤ−Ｒ／ＲＷドライブ、ＤＶＤ−Ｒ、ＤＶＤ−ＲＷ、ＤＶＤ＋ＲＷドライブにおける光記録機能に加えて、記録波形を変更する条件を評価する機能、及び記録波形を変更して記録を続行する機能を有するようにしてもよい。
図３に、本発明の光記録装置における処理の一例をフローチャートで示す。
図中の（１）は、光記録媒体の対応記録速度、種類などの情報が既知か否かを判断するステップであり、（２）は、光記録媒体のメーカー情報やバージョン情報が既知か否かを判断するステップであり、（３）は、光記録媒体の製造方法が既知か否かを判断するステップである。これらの各ステップで判断された結果に応じて、次の（４）〜（６）の何れに該当するかを決定し、サーボ設定や記録ストラテジを変更することになる。
（４）光記録装置が、光記録媒体の最適記録ストラテジパラメータを有する場合。
（５）光記録装置が、光記録媒体のより適切なサーボパラメータ及び記録ストラテジパラメータを有する場合。
（６）ＡＤＩＰ（アドレス・イン・プレグルーブ）情報に基づいて記録する場合。
【００１６】
本発明の対象となる光記録媒体の一例として、記録光の入射側の第１基板／Ｌ０記録層／Ｌ０反射層／接着層又はＬ１記録用案内溝形成層／Ｌ１記録層／Ｌ１反射層／第２基板（保護基板）からなる構造の、２層の記録層を持つ２層光記録媒体が挙げられる。
第１基板は、基板側から記録再生を行なう場合には使用レーザに対して透明でなければならないが、記録層側から記録再生を行なう場合には透明である必要はない。
第１基板材料としては、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、或いは、ガラス、セラミック、金属などを用いることができる。
なお、基板の表面にはトラッキング用の案内溝や案内ピット、更にアドレス信号などのプリフォーマットが形成されていても良い。
第２基板は、第２基板側からレーザ光を照射する場合には、使用レーザ光に対して透明でなければならないが、単なる保護板として用いる場合には透明でなくてもよい。
使用可能な第２基板材料は、第１基板材料と同じである。また、第１基板と同じ材料を用いることにより製造コストを低減することができる。
【００１７】
記録層はレーザ光の照射により何らかの光学的変化を生じさせ、その変化により情報を記録するものであり、その材料としては有機色素を主成分とするものを用いる。ここで、主成分とは、記録再生に必要十分な量の有機色素を含有することを意味するが、通常は、必要に応じて適宜添加する少量の添加剤を除き、有機色素のみを用いる。
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系の各色素、或いは、それらの金属錯体などが挙げられる。中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
【００１８】
上記色素は、熱分解特性として、分解開始温度１００〜３６０℃のものが好ましく、特に１００〜３５０℃のものが好ましい。分解開始温度が３６０℃を越えると記録時のピット形成がうまく行われずジッタ特性が悪くなる。また、１００℃未満であるとディスクの保存安定性が悪化する。
上記色素には光学特性、記録感度、信号特性などの向上の目的で他の有機色素、金属、金属化合物を混合してもよく、或いは色素層と他の有機色素、金属、金属化合物からなる層を積層しても良い。このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄなどが挙げられ、それぞれを分散混合するか或いは積層して用いることができる。
更に、上記色素中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることも出来る。
【００１９】
記録層の形成は、蒸着、スパッタリング、ＣＶＤ、溶剤塗布などの通常の手段によって行うことができる。塗布法を用いる場合には、上記染料などを有機溶剤に溶解し、スプレー、ローラーコーティグ、ディッピング、スピンコーティングなどの慣用のコーティング法によって行うことが出来る。用いられる有機溶媒としては一般にメタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
記録層の膜厚は１００Å〜１０μｍ、好ましくは２００〜２０００Åが適当である。
【００２０】
反射層の材料としては、Ａｕ、Ａｇ、Ｃｒ、Ｎｉ、Ａｌ、Ｆｅ、Ｓｎなどの単体で高反射率の得られる腐食され難い金属や半金属が挙げられるが、反射率や生産性の点からＡｕ、Ａｇ、Ａｌが特に好ましい。また、これらの金属や半金属は単独で使用しても２種以上の合金として使用しても良い。
反射層の膜形成法としては、蒸着、スッパタリングなどが挙げられる。
反射層の膜厚は、５０〜５０００Å、好ましくは、１００〜３０００Åである。
接着層の材料としては、２枚の光記録媒体を接着できる材料なら何でもよく、生産性を考慮すると、紫外線硬化型接着剤又はホットメルト型接着剤が好ましい。また、Ｌ１記録用案内溝形成層としては紫外線硬化型樹脂が好適である。この場合Ｌ１記録用案内溝を形成するスタンパの剥離に適した材料が好適である。
【００２１】
また、Ｌ０反射層への腐食を抑えるため下引き層を設けてもよい。
下引き層は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などの目的で設けられる。（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。（２）及び（３）の目的に対しては、上記高分子材料以外に、ＳｉＯ、ＭｇＦ、ＳｉＯ２、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。（４）の目的に対しては、Ａｌ、Ａｕ、Ａｇ等の金属や、メチン染料、キサンテン系染料などからなる金属光沢を有する有機薄膜を用いることができる。（５）及び（６）の目的に対しては、紫外線硬化樹脂、熱硬化樹脂、熱可塑性樹脂などを用いることができる。
下引き層の膜厚は、０．０１〜３０μｍ、好ましくは、０．０５〜１０μｍである。
【００２２】
また、必要に応じて、保護層又は基板面ハードコート層を設けてもよい。
保護層及び基板面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。
保護層又は基板面ハードコート層の膜厚は、０．０１〜３０μｍ、好ましくは０．０５〜１０μｍである。
上記下引き層、保護層及び基板面ハードコート層には、記録層の場合と同様に安定剤、分散剤、難燃剤、滑剤、帯電防止剤、界面活性剤、可塑剤等を含有させることができる。
【００２３】
上記２層光記録媒体の製造方法には、大きく分けて二つの方法がある。
第１の方法は、第１基板上にＬ０記録層及びＬ０反射層を形成し、第２基板上にＬ１反射層及びＬ１記録層を形成し、両者を接着層で貼り合わせる逆積層法である。
第２の方法は、第１基板上にＬ０記録層及びＬ０反射層を形成し、その上に、Ｌ１記録用案内溝形成層を積層して記録用案内溝を形成し、その上に、Ｌ１記録層及びＬ１反射層を形成し、最後に、第２基板を接着する２Ｐ法である。
この二つの方法では、Ｌ０及びＬ１の記録層を形成するときの各記録用案内溝と記録光の入射方向に差が生じる。例えば逆積層法では、Ｌ０記録層は入射光側の第１基板に記録用案内溝が切られており、その上に記録層を形成するが、Ｌ１記録層は入射光と反対側の第２基板に記録用案内溝が切られており、その上に記録層を形成する。これに対し、２Ｐ法では、Ｌ０及びＬ１は、入射光側の第１基板及びＬ１記録用案内溝形成層上に記録用案内溝が切られており、その上に記録層を形成する。
記録層の形成方法が液体による塗布の場合、記録用案内溝の凸凹により厚さが異なる。そのため、二つの方法で入射光側から見たＬ１記録用案内溝の凹凸に対するＬ１記録層の厚さが異なり、サーボ条件及び記録光発光波形の形状に差異が生じる。
以上、２層光記録媒体について説明したが、更に多くの記録層を有する多層光記録媒体においても、記録用案内溝と記録層の形成方法に本質的な差はない。
【００２４】
製造方法の識別方法として、記録用案内溝に情報を付加することにより、光記録装置にのみ情報が読み取れ、再生装置の互換性を考慮する必要がなくなる。また、高周波数の信号に位相変調法で記載することにより、記録密度を向上させることができる。
記録情報の形式としては、光記録媒体メーカーが任意に入れることができる媒体のバージョン情報に入れるのが好ましい。ＤＶＤ＋Ｒ＿ＤＬ（２層光記録媒体）の場合は、メーカーが任意に記載できるリビジョン情報に入れることにより、既存ドライブとの互換性を考慮する必要がなくなる。
【発明の効果】
【００２５】
本発明１〜３によれば、製造方法が逆積層法か２Ｐ法かで異なる光記録媒体でも、良好な記録品質と安定した記録動作で記録することが可能な光記録装置を提供できる。
更に、本発明４によれば、既知の光記録媒体については最適化された記録品質と記録動作で記録することが可能な光記録装置を提供できる。
【実施例】
【００２６】
以下、実施例及び比較例により本発明を更に具体的に説明するが、本発明は実施例により限定されるものではない。
【００２７】
実施例１、比較例１
実施例１として、図３に示す機能を有する光記録装置を用いた。また、比較例１として図５に示す機能を有する従来の光記録装置を用いた。図５は、図３におけるステップ（３）がなく、したがって（５）の選択肢がないものであり、残りの（１）（２）（４）（６）は図３の場合と同じである。なお、比較例１の光記録装置の場合、未知の光記録媒体に対するサーボ設定は２Ｐ法に合わせてある。
光記録媒体として、図４に示した情報形式で製造方法の情報が記載されている、ＤＶＤ＋Ｒ＿ＤＬディスクを用い、逆積層法で作成したディスク（光ディスクＡ）と、２Ｐ法で作成したディスク（光ディスクＢ）について記録再生を行い、記録再生動作を評価した。
評価結果を表１に記載するが、実施例１では両ディスクとも記録再生可能であったが、比較例１では、光ディスクＡに対するフォーカスサーボ特性が合わず、記録エラーを発生した。
【表１】
0004659574.tif 000002
【図面の簡単な説明】
【００２８】
【図１】光記録装置の要部構成の一例を示す機能ブロック図。
【図２】情報処理装置の概略図。
【図３】本発明の光記録装置における処理の一例を示す図。
【図４】ディスクに記載した製造方法の情報形式を示す図。
【図５】従来の光記録装置における処理の一例を示す図。
【図１】
0004659574.tif 000003
【図２】
0004659574.tif 000004
【図３】
0004659574.tif 000005
【図４】
0004659574.tif 000006
【図５】
0004659574.tif 000007